(57)【要約】【課題】筐体の側面を覗き込むことなく端子の位置を把握でき、容易に筐体側面に配された端子にケーブルを接続することができる情報処理装置を提供する。【解決手段】入力される情報を処理する処理手段を内蔵した筐体１１と、筐体１１の上面１１ｄに配された操作手段と、筐体１１の側面１１ａ及び１１ｂに配され、外部機器を接続するための第１の端子部１４及び第２の端子部１５とを備えた情報処理装置であって、第１の端子部１４及び第２の端子部１５に配された端子の端面は、筐体１１の側面１１ａ及び１１ｂと同一面上または筐体１１の側面１１ａ及び１１ｂよりも内側に位置し、筐体１１は、端子を上面１１ｄ側から目視可能となるよう、端子の上方を開放する凹部１４ａ及び１５ａが形成されている。【選択図】図１
2010003062.tif 000002
【特許請求の範囲】
【請求項１】
入力される情報を処理する処理手段を内蔵した筐体と、
前記筐体の上面に配された操作手段と、
前記筐体の前記上面に隣接する側面に配され、外部機器を接続するための端子とを備えた情報処理装置であって、
前記筐体は、前記上面と前記端子とが重なる部分に、前記端子が目視可能になるよう切り欠き部が形成されている、情報処理装置。
【請求項２】
前記端子の端面は、前記筐体の側面と同一面上または前記筐体の側面よりも内側に位置するように配されている、請求項１記載の情報処理装置。
【請求項３】
全体または少なくとも一部が透明材料で形成されている透明部材を、さらに備え、
前記透明部材は、
前記端子に対向する位置に貫通孔が形成され、
前記切り欠き部を塞ぐ位置に配されている、請求項１記載の情報処理装置。
【請求項４】
前記端子の端面は、前記透明部材の側面と同一面上または前記透明部材の側面よりも内側に位置するように配されている、請求項３記載の情報処理装置。
【請求項５】
前記透明部材は、
前記操作手段の上面よりも高い突出高さを有する、請求項３または４記載の情報処理装置。
【請求項６】
前記透明部材は、
前記端子に対向する面に、前記端子を特定するための文字または図形が表記されている、請求項３〜５のいずれかに記載の情報処理装置。
【発明の詳細な説明】
【技術分野】
【０００１】
本発明は、ノート型パーソナルコンピューター（以下、ノートＰＣと称する）などの情報処理装置に関する。
【背景技術】
【０００２】
図１８は、従来の情報処理装置の一例であるノートＰＣの外観を示す斜視図である。図１８に示すように従来のノートＰＣは、中央演算処理装置（ＣＰＵ）やハードディスクドライブなどの記憶手段などを備えた第１の筐体１０１と、液晶モニタ１０２ａを備えた第２の筐体１０２とを備えている。第１の筐体１０１と第２の筐体１０２とは、ヒンジ部１０３によって、矢印Ｚの軸回りに回動自在に支持されて構成されている。第１の筐体１０１の上面１０１ｇには、使用者による様々な命令の入力を受け付けるキーボード１０１ａやタッチパッド１０１ｂが配されている。また、第１の筐体１０１における互いに対向した側面１０１ｈ及び１０１ｋには、外部機器を着脱可能な複数の端子を備えた第１の端子部１０１ｃと第２の端子部１０１ｄとを備えている。図１８に示す情報処理装置とほぼ同様の構成が、特許文献１及び２に開示されている。
【特許文献１】特開２０００−３４８８１１号公報
【特許文献２】特開平１１−３１４０号公報
【発明の開示】
【発明が解決しようとする課題】
【０００３】
図１９は、図１８に示す情報処理装置（特許文献１，２も同様）の第１の筐体１０１の平面図である。図１９に示すように、端子部１０１ｃ及び１０１ｄは、第１の筐体１０１の側面１０１ｈ及び１０１ｋに配され、その端部が側面１０１ｈ及び１０１ｋと同一面上か側面１０１ｈ及び１０１ｋよりも内側に位置しているため、上面１０１ｇ側（すなわち、使用者から図１９に示すアングルで見た場合）から直接目視することができない。よって、使用者は、端子部１０１ｃ及び１０１ｄにおける端子にケーブルを接続する際、端子部１０１ｃ及び１０１ｄを覗き込んで端子の位置を確認し、ケーブルのプラグを所望の端子に挿入接続するという、非常に煩わしい接続操作が必要となる。
【０００４】
本発明の目的は、筐体の側面を覗き込むことなく端子の位置を把握でき、容易に筐体側面に配された端子にケーブルを接続することができる情報処理装置を提供することである。
【課題を解決するための手段】
【０００５】
本発明の情報処理装置は、入力される情報を処理する処理手段を内蔵した筐体と、前記筐体の上面に配された操作手段と、前記筐体の前記上面に隣接する側面に配され、外部機器を接続するための端子とを備えた情報処理装置であって、前記筐体は、前記上面と前記端子とが重なる部分に切り欠き部が形成されているものである。
【発明の効果】
【０００６】
本発明によれば、筐体の側面を覗き込むことなく端子の位置を把握でき、容易に筐体側面に配された端子にケーブルを接続することができる。
【発明を実施するための最良の形態】
【０００７】
本発明の情報処理装置は、入力される情報を処理する処理手段を内蔵した筐体と、前記筐体の上面に配された操作手段と、前記筐体の前記上面に隣接する側面に配され、外部機器を接続するための端子とを備えた情報処理装置であって、前記筐体は、前記上面と前記端子とが重なる部分に切り欠き部が形成されているものである。
【０００８】
本発明の情報処理装置は、上記構成を基本として、以下のような態様をとることができる。
【０００９】
すなわち、本発明の情報処理装置において、前記端子の端面は、前記筐体の側面と同一面上または前記筐体の側面よりも内側に位置するように配されている構成とすることができる。このような構成とすることで、端子が筐体の表面から突出しないので、端子が衣服などに引っ掛かることを防止することができ、端子の破損などを防ぐことができる。
【００１０】
また、本発明の情報処理装置において、全体または少なくとも一部が透明材料で形成されている透明部材を、さらに備え、前記透明部材は、前記端子に対向する位置に貫通孔が形成され、前記切り欠き部を塞ぐ位置に配されている構成とすることができる。このような構成とすることで、切り欠き部内に位置する端子を筐体の上面側から目視可能とすることができるので、容易に端子にケーブルなどを接続することができる。また、切り欠き部を透明部材で塞ぐことで、端子に埃などの異物が付着することを低減することができる。
【００１１】
また、本発明の情報処理装置において、前記端子の端面は、前記透明部材の側面と同一面上または前記透明部材の側面よりも内側に位置するように配されている構成とすることができる。このような構成とすることで、端子が筐体の表面から突出しないので、端子が衣服などに引っ掛かることを防止することができ、端子の破損などを防ぐことができる。
【００１２】
また、本発明の情報処理装置において、前記透明部材は、前記操作手段の上面よりも高い突出高さを有する構成とすることができる。このような構成とすることで、筐体の上面を下側にして机上などに載置した場合、筐体の上面に配されている部材（操作手段など）が机上表面に当接するのを防ぎ保護することができる。また、情報処理装置がノートＰＣなどのように、操作手段を備えた第１の筐体と表示手段を備えた第２の筐体とから構成される場合、第１の筐体及び第２の筐体を閉じた状態にした時に、表示手段に操作手段が当接することを防ぐことができ、表示手段を保護することができる。
【００１３】
また、本発明の情報処理装置において、前記透明部材は、前記端子に対向する面に、前記端子を特定するための文字または図形が表記されている構成とすることができる。このような構成とすることで、端子の名称などを容易に把握することができるとともに、文字や図形が透明部材の内面に表記されているため、文字や図形が使用者の手などで擦れることによって消失することを防ぐことができる。
【００１４】
（実施の形態１）
図１は、本実施の形態における情報処理装置の一例であるノートＰＣの外観を示す斜視図である。
【００１５】
ノートＰＣは、中央演算処理装置やハードディスクドライブなどを内蔵した第１の筐体１１と、液晶モニタ２２を備えた第２の筐体２１とを備えている。第１の筐体１１と第２の筐体２１とは、互いにヒンジ部２３によって矢印Ａまたはその逆方向に回動可能に支持されている。図１は、第１の筐体１１の上面１１ｄと第２の筐体２１の液晶モニタ２２の表面とを互いに離間させた第１の状態を示し、一般的に使用者がノートＰＣを使用する際の状態である。図２は、図１に示す状態から第２の筐体２１をヒンジ部２３を軸に矢印Ａに示す方向へ回動させ、上面１１ｄと液晶モニタ２２の表面とを互いに対向させた第２の状態を示す。
【００１６】
第１の筐体１１は、上面１１ｄにキーボード１２、タッチパッド１３を備えている。なお、キーボード１２及びタッチパッド１３は、使用者による操作を受け付ける操作手段の一例である。
【００１７】
図３は、ノートＰＣの側面図であり、主に第１の筐体１１の側面１１ａ側の構成を図示したものである。図４Ａは、ノートＰＣの平面図であり、主に第１の筐体１１の平面図を示したものである。図４Ｂは、図４Ａにおける第１の端子部１４近傍の拡大平面図である。図５は、図４ＡにおけるＢ−Ｂ部の断面図である。
【００１８】
図３〜図５に示すように、第１の端子部１４は、第１の筐体１１の側面１１ａに形成された凹部１４ａ（本発明における切り欠き部の一例）に、各種端子を配置して構成されている。本実施の形態では、ＬＡＮポート１４ｂ（LAN:Local Area Network）、モデムポート１４ｃ、３個のＵＳＢポート１４ｄ（USB:Universal Serial Bus）を備えているが、これらは外部接続端子の一例である。また、ＬＡＮポート１４ｂ、モデムポート１４ｃ、ＵＳＢポート１４ｄには、各規格に対応したケーブルを接続することができる。凹部１４ａは、端子１４ｂ〜１４ｄの上部における筐体上部１１ｃが切り欠かれて開放している。また、第１の端子部１４に配された端子１４ｂ〜１４ｄは、ケーブルの着脱方向の端面（例えば、図４Ｂ及び図５に示すＵＳＢポート１４ｄの端面１４ｅ）が、第１の筐体１１の側面１１ａと同一面上または側面１１ａよりも内側に位置するように配置することが好ましい。本実施の形態では、図４Ｂ及び図５に示すように、端子１４ｂ〜１４ｄの端面が側面１１ａよりも内側（図中左側）に位置する構成とした。また、第１の端子部１４は、筐体上部１１ｃの一部を切り欠いて形成された凹部１４ａを備えていることにより、各端子１４ｂ〜１４ｄの上方が開放されているため、図４Ａに示すように上面１１ｄ側から見た時に各端子１４ｂ〜１４ｄが目視可能である。また、各端子１４ｂ〜１４ｄは、上面１１ｄに直交する方向の上面（例えば、図５におけるＵＳＢポート１４ｄの上面１４ｈ）が、上面１１ｄと同一面上または上面１１ｄよりも内側（図５における下側）に位置するように配することができ、本実施の形態では上面１１ｄよりも内側に位置するように配されている。
【００１９】
図４Ａに示すように、第２の端子部１５は、第１の筐体１１の側面１１ｂ側の一部及び筐体上部１１ｃの一部を切り欠いて形成された凹部１５ａ内に、各種端子を配置して構成されている。本実施の形態では、外部ディスプレイポート１５ｂ、拡張ポート１５ｃ、ヘッドホン端子１５ｄ、マイク端子１５ｅを備えているが、これらは接続端子の一例である。外部ディスプレイポート１５ｂは、他端に単体の液晶モニタなどの外部ディスプレイが接続されたディスプレイケーブルを接続することができ、ノートＰＣ内で処理された映像信号を外部ディスプレイに出力することができる。拡張ポート１５ｃは、外部ディスプレイポートやＵＳＢポートなどを備えた拡張ユニットを接続することができる。また、第２の端子部１５に配された端子１５ｂ〜１５ｅは、第１の端子部１４と同様、ケーブルの着脱方向の端面（例えば、拡張ポート１５ｃの端面１５ｆ）が、側面１１ｂと同一面上または側面１１ｂよりも内側（図中右側）に位置するように配されている。本実施の形態では、端面１５ｆが側面１１ｂよりも内側に位置する構成とした。また、第２の端子部１５は、筐体上部１１ｃの一部を切り欠いて形成された凹部１５ａを備えていることにより、各端子１５ｂ〜１５ｅの上方が開放されているため、図４Ａに示すように上面１１ｄ側から見た時に各端子１５ｂ〜１５ｅが目視可能である。なお、各端子１５ｂ〜１５ｅは、上面１１ｄに直交する方向の上面が、上面１１ｄと同一面上または上面１１ｄよりも内側に位置するように配することができ、本実施の形態では上面１１ｄよりも内側に位置するように配している。
【００２０】
使用者は、上記のように構成されたノートＰＣに各種ケーブルを接続する際、上面１１ｄ側から第１の端子部１４及び第２の端子部１５に配されている各端子を目視して位置を把握することができるので、側面１１ａまたは１１ｂを覗き込むことなく端子にケーブルを接続することができる。
【００２１】
図６は、本実施の形態の端子にケーブルを接続した状態の情報処理装置の平面図である。図６は、ＬＡＮポート１４ｂにＬＡＮケーブル３１の端子３１ａを接続し、ＵＳＢポート１４ｄにＵＳＢケーブル３２の端子３２ａを接続し、外部ディスプレイポート１５ｂにディスプレイケーブル３３の端子３３ａを接続した状態である。図４Ａで示した第１の端子部１４および第２の端子部１５に配された各端子の上方が、図６に示すように開放されていることにより、上面１１ｄ側から、第１の端子部１４及び第２の端子部１５に配されている端子におけるケーブルの接続状態を目視で確認することができる。
【００２２】
以上のように本実施の形態によれば、第１の端子部１４及び第２の端子部１５における筐体上部１１ｃの一部を切り欠いて、各端子の上方を開放したことにより、上面１１ｄ側から第１の端子部１４及び第２の端子部１５に含まれる端子を目視確認することができる。よって、使用者は、側面１１ａ及び１１ｂを覗き込むことなく、上面１１ｄ側から端子の位置を把握することができる。したがって、第１の端子部１４及び第２の端子部１５に配された端子に各種ケーブルを容易に接続することができるとともに、ケーブルが接続されている端子を容易に把握することができる。
【００２３】
また、本実施の形態では、第１の端子部１４及び第２の端子部１５に配された端子のケーブル着脱方向の端面（例えば端面１４ｅ及び１５ｆ）が、側面１１ａ及び１１ｂよりも内側に位置するように配したことにより、端子が衣服などの他の部材に引っ掛かりにくいため、端子の破損を防止することができる。仮に、端子が第１の筐体１１の側面１１ａ及び１１ｂから突出していた場合、ノートＰＣが図１に示す状態の時に端子に衣服の一部などが引っ掛かかる可能性があり、その場合端子に無理な力が加わって断線してしまう可能性がある。本実施の形態はこのような問題の発生を防止できる構成である。
【００２４】
また、本実施の形態では、ノートＰＣを図２に示す第２の状態にした時、図７に示すように第２の筐体２１で第１の端子部１４の上方の開口部分を覆うことができるため、ノートＰＣを鞄やソフトケースなどに出し入れする際に、端子が鞄やソフトケースなどの内面に引っ掛かることを防止することができる。仮に、ノートＰＣを図２に示す第２の状態にした時に端子が第１の筐体から突出していた場合、端子が鞄などの内面に引っ掛かって出し入れ動作がスムーズに行えなかったり、端子に無理な力がかかって断線してしまう可能性がある。本実施の形態はこのような問題の発生を防止できる構成である。
【００２５】
なお、本実施の形態では、情報処理装置の一例としてノートＰＣを挙げて説明したが、少なくとも内部に情報処理を行う手段を備えた筐体と、操作手段と、第１の端子部１４または第２の端子部１５に相当する端子とを備えた機器であれば、ノートＰＣには限らない。例えば、ＰＤＡ（personal digital assistance）、ゲーム機、医療機器などに有用である。
【００２６】
また、本実施の形態では、第１の端子部１４及び第２の端子部１５に含まれる端子は、ケーブル着脱方向の端面が側面１１ａ及び１１ｂよりも内側に位置するように配する構成としたが、側面１１ａ及び１１ｂと同一面上に位置するように配する構成としても、本実施の形態と同様の効果を得ることができる。
【００２７】
また、本実施の形態では図示を省略しているが、第１の端子部１４及び第２の端子部１５に配された端子の名称や機能名などを文字や図形で表記することで、ケーブルを端子に接続する際に容易に所望の端子を特定することができる。この文字や図形は、第１の筐体１１の上面１１ｄにおける端子近傍に表記してもよいし、第１の端子部１４及び第２の端子部１５における底面（例えば第１の端子部１４における底面１４ｆ）における端子近傍に表記してもよい。文字や図形は、上面１１ｄに印刷により表記する構成では、表記された文字などが使用者の手などで擦れて消えてしまう可能性があるが、第１の端子部１４及び第２の端子部１５における底面に表記することで、表記された文字などが使用者の手などに触れる可能性が低いため、文字などが消えにくいという効果がある。
【００２８】
（実施の形態２）
図８は、本実施の形態における情報処理装置の一例であるノートＰＣの外観を示す斜視図である。図９Ａは、第１の透明部材の外観を示す斜視図である。図９Ｂは、第１の透明部材の平面図である。図１０Ａは、本実施の形態における情報処理装置の平面図である。図１０Ｂは、図１０Ａにおける第１の透明部材１６近傍の拡大平面図である。図１１は、図１０ＡにおけるＢ−Ｂ部の断面図である。なお、本実施の形態における構成において、実施の形態１における構成と同一の構成については、同一符号を付与して詳しい説明は省略する。本実施の形態は、実施の形態１に示す構成に第１の透明部材１６、第２の透明部材１７を追加したことを特徴とする。
【００２９】
図８に示すように、第１の透明部材１６は、第１の端子部１４を覆うように第１の筐体１１に装着されている。また、第２の透明部材１７は、第２の端子部１５を覆うように第１の筐体１１に装着されている。また、第１の透明部材１６及び第２の透明部材１７は、例えば透明の樹脂で一体成型することにより形成することができる。
【００３０】
図９Ａに示すように、第１の透明部材１６は、断面が略Ｌ字状の部材で構成され、内部空間１６ａが形成されている。側面１６ｆには、内部空間１６ａと外部とを連通する貫通孔１６ｂ〜１６ｄが形成されている。貫通孔１６ｂ〜１６ｄは、それぞれ端子１４ｂ〜１４ｄに対応した位置に形成されている。図９Ｂに示すように、上面１６ｅには、第１の端子部１４に配された各端子の名称や機能を表した文字や図形が表記されている。なお、図示は省略しているが、第２の透明部材１７は、第２の端子部１５に装着可能な形状で、かつ端子部１５ｂ〜１５ｅに対応した貫通孔を備えている点が第１の透明部材１６と異なり、他の構成については第１の透明部材１６と同様である。以下の説明では、第１の透明部材１６を主に説明する。
【００３１】
図１０Ｂに示すように、貫通孔１６ｂは、第１の透明部材１６を第１の端子部１４に装着した状態において、ＬＡＮポート１４ｂに対応する位置に形成されている。貫通孔１６ｃは、同様にモデムポート１４ｃに対応する位置に形成されている。貫通孔１６ｄは、同様にＵＳＢポート１４ｄに対応する位置に形成されている。また、側面１６ｆは、第１の筐体１１の側面１１ａとほぼ同一面上に位置する。
【００３２】
図１１に示すように、端面１６ｇは、第１の端子部１４における底面１４ｆに当接し、端面１６ｈは、第１の筐体１１の上面１１ｄに形成された凹部１１ｆの内面に当接していることで、第１の筐体１１に対する第１の透明部材１６の位置を規制している。内部空間１６ａ（図９Ａ参照）には、第１の端子部１４に配された端子（図示では端子１４ｄ）が位置する。また、第１の透明部材１６の上面１６ｅは、第１の筐体１１の上面１１ｄよりも高い位置にある。また、第１の透明部材１６の側面１６ｆは、第１の筐体１１の側面１１ａとほぼ同一面上に位置する。また、第１の透明部材１６は、詳しい構成の図示は省略するが、爪係合などの周知の手段を用いて第１の筐体１１に固定されている。また、第１の透明部材１６は、本実施の形態では全体が透明の材料で形成されているが、少なくとも第１の端子部１４に含まれる端子を上面１１ｄ側から目視可能な構成にすればよいため、上面１６ｅのみ透明とした構成、端子の上方のみに透明部材を配置した構成、あるいは上面１６ｅにおける端子の上方に位置する部位のみ部分的に透明とした構成でも、本実施の形態と同様の効果を得ることができる。
【００３３】
本実施の形態の第１の端子部１４及び第２の端子部１５における端子にケーブルを接続する際は、例えば図１１に示す状態からＵＳＢケーブル３２の端子３２ａを矢印Ｃに示す方向へ移動させ、貫通孔１６ｄを介してＵＳＢポート１４ｄに接続する。図１２は、ＵＳＢポート１４ｄにＵＳＢケーブル３２の端子３２ａが接続された状態を示す。この時、第１の端子部１４には第１の透明部材１６が配され、第２の端子部１５には第２の透明部材１７が配されていることにより、上面１１ｄ側から第１の端子部１４及び第２の端子部１５に配された端子を目視することができるので、使用者は上面１１ｄ側から端子を目視して位置を確認しながらケーブルを接続することができる。
【００３４】
図１３は、本実施の形態のノートＰＣの端子にケーブルを接続した状態を示す平面図である。なお、図１３では、端子の位置を明確に図示するために、端子にドットハッチングを付与した。図１３は、ＬＡＮポート１４ｂにＬＡＮケーブル３１の端子３１ａが接続され、ＵＳＢポート１４ｄにＵＳＢケーブル３２の端子３２ａが接続され、外部ディスプレイポート１５ｂにディスプレイケーブル３３の端子３３ａが接続された状態である。ＬＡＮケーブル３１、ＵＳＢケーブル３２は、それぞれ第１の透明部材１６に形成された貫通孔１６ｂ及び１６ｄを介して端子１４ｂ及び１４ｄに接続され、ディスプレイケーブル３３は、第２の透明部材１７に形成された貫通孔１７ｂを介して端子１５ｂに接続されている。図１３に示すように、第１の端子部１４に第１の透明部材１６を配し、第２の端子部１５に第２の透明部材１７を配したことにより、第１の筐体１１の上面１１ｄ側から、第１の端子部１４及び第２の端子部１５に配された端子におけるケーブルの接続状態を目視確認することができる。
【００３５】
以上のように本実施の形態によれば、第１の端子部１４を第１の透明部材１６で覆い、第２の端子部１５を第２の透明部材１７で覆ったことにより、上面１１ｄ側から第１の端子部１４及び第２の端子部１５に配された端子を目視確認することができる。よって、使用者は、側面１１ａ及び１１ｂを覗き込むことなく、上面１１ｄ側から端子の位置を把握することができる。したがって、使用者において、第１の端子部１４及び第２の端子部１５に配された端子にケーブルを容易に接続することができるとともに、ケーブルが接続されている端子を容易に把握することができる。
【００３６】
また、第１の端子部１４を第１の透明部材１６で覆い、第２の端子部１５を第２の透明部材１７で覆ったことにより、第１の端子部１４及び第２の端子部１５に埃などの異物が侵入するのを低減することができる。
【００３７】
また、本実施の形態では、第１の端子部１４及び第２の端子部１５に配された端子を、その端面（例えば端面１４ｅ及び１５ｆ）が第１の透明部材１６の側面１６ｆ（第２の透明部材１７も同様）よりも内側に位置するように配したことにより、端子が衣服などに引っ掛かることがないため、端子の破損を防止することができる。仮に、端子が第１の筐体１１の側面１１ａ及び１１ｂから突出していた場合、ノートＰＣが図１に示す状態の時に端子に衣服の一部などが引っ掛かかる可能性があり、この場合端子に無理な力が加わって断線してしまう可能性がある。本実施の形態はこのような問題の発生を防止できる構成である。
【００３８】
また、図１１に示すように、第１の透明部材１６（図示は省略するが、第２の透明部材１７も同様）の上面１６ｅをキーボード１２の上面よりも高くすることで、ノートＰＣを第２の状態（図２参照）にした時に、第２の筐体２１の液晶モニタ２２の表面がキーボード１２などに当接するのを防ぐことができる。すなわち、ノートＰＣを第２の状態にした時に、図１７に示すようにキーボード１２の上面１２ａと液晶モニタ２２の表面２２ａとの間に隙間ｈ（ｈ＝ｈ１−ｈ２）を設けることができ、液晶モニタ２２の表面２２ａに傷が付くことを防止することができる。さらに、突起部１６ｋを設けることで、情報処理装置が第１の筐体のみで構成される場合、情報処理装置の上面を下側にして机の上などに載置した時に、情報処理装置の上面に配された操作部や表示部と机面との間に隙間を設けることができるので、情報処理装置の自重によって操作部が誤操作されたり、表示部の表面に傷が付いたりすることを防止することができる。
【００３９】
なお、本実施の形態では、第１の透明部材１６及び第２の透明部材１７は、第１の筐体１１に対して別部材としたが、第１の筐体１１に一体形成されていてもよい。
【００４０】
また、本実施の形態では、情報処理装置は第１の筐体１１と第２の筐体２１とで構成されているが、１つの筐体のみで構成されていてもよい。その場合は、単一の筐体にキーボードなどの操作部や液晶モニタなどの表示部などを備えることで、本実施の形態の情報処理装置と同様の構成を実現することができる。
【００４１】
また、図１４に示すように、ノートＰＣの第２の筐体２１の液晶モニタ２２の左右両側に突起部２４を設け、図１５に示すように、第１の透明部材１６（図示は省略するが、第２の透明部材１７も同様）の上面に凹部１６ｋを形成し、ノートＰＣを第２の状態（図２参照）にした時に凹部１６ｋと突起部２４とが嵌合可能な構成とすることで、ノートＰＣを第２の状態にした時に、第１の筐体１１に対する第２の筐体２１の位置決めを行うことができる。図１７は、ノートＰＣを第２の状態にした図であり、図示のように凹部１６ｋと突起部２４とを嵌合させることができる。
【００４２】
また、本実施の形態では、情報処理装置の一例としてノートＰＣを挙げて説明したが、少なくとも内部に情報処理を行う手段を備えた筐体と、操作手段と、外部機器と接続するための端子とを備えた機器であれば、ノートＰＣには限らない。例えば、ＰＤＡ（personal digital assistance）、ゲーム機、医療機器などに有用である。
【００４３】
また、本実施の形態では、第１の端子部１４に配された端子は、その端面が第１の透明部材１６の側面１６ｆと同一面上に位置するように配置する構成とすることで、本実施の形態と同様の効果を得ることができるとともに、さらに第１の端子部１４及び第２の端子部１５に埃などの異物が侵入するのを低減することができる。なお、第２の端子部１４に配された端子と第２の透明部材１７との関係も同様である。
【００４４】
また、本実施の形態では、図９Ｂに示すように、端子の名称や機能名などを文字や図形により第１の透明部材１６の上面１６ｅ（第２の透明部材１７も同様）に表記する構成としたが、第１の透明部材１６は透明であるため、文字や図形などを上面１６ｅの裏側である裏面１６ｍ（図１１参照）に鏡文字で表記することで、上面１６ｅ側から見て使用者が認識可能な表記とすることができる。このような構成とすることで、第１の透明部材１６に表記された文字などが使用者の手などに触れることがないため、文字などが消えないという効果がある。
【００４５】
また、本実施の形態では、第１の端子部１４を第１の筐体１１の側面１１ａ側に配し、第２の端子部１５を側面１１ｂ側に配し、それぞれに第１の透明部材１６、第２の透明部材１７を配する構成としたが、第１の筐体１１における側面１１ａと側面１１ｂと上面１１ｄとに隣接した側面１１ｅに、凹部１４ａと同様の凹部を形成してその凹部内に各種端子を配し、さらにその凹部を覆うように透明部材を配する構成とすることで、本実施の形態と同様の効果を得ることができる。
【産業上の利用可能性】
【００４６】
本発明の情報処理装置は、ノート型パーソナルコンピューターなどのように各種情報を処理することができる機器に有用である。
【図面の簡単な説明】
【００４７】
【図１】実施の形態１における情報処理装置の外観を示す斜視図
【図２】実施の形態１における情報処理装置の外観を示す斜視図
【図３】情報処理装置の側面図
【図４Ａ】情報処理装置の平面図
【図４Ｂ】情報処理装置における端子部近傍の拡大平面図
【図５】図４ＡにおけるＢ−Ｂ部の断面図
【図６】ケーブルが接続された状態の情報処理装置の平面図
【図７】情報処理装置が第２の状態の時の図４ＡにおけるＢ−Ｂ部の断面図
【図８】実施の形態２における情報処理装置の外観を示す斜視図
【図９Ａ】第１の透明部材の斜視図
【図９Ｂ】第１の透明部材の平面図
【図１０Ａ】情報処理装置の平面図
【図１０Ｂ】情報処理装置における端子部近傍の拡大平面図
【図１１】図１０ＡにおけるＢ−Ｂ部の断面図
【図１２】ケーブルが接続された状態の図１０ＡにおけるＢ−Ｂ部の断面図
【図１３】ケーブルが接続された状態の情報処理装置の平面図
【図１４】情報処理装置の他の構成例を示す斜視図
【図１５】透明部材の他の構成例を示す斜視図
【図１６】図１５に示す透明部材が装着された情報処理装置の要部断面図
【図１７】図１５に示す透明部材が装着された情報処理装置の要部断面図
【図１８】従来の情報処理装置の外観を示す斜視図
【図１９】従来の情報処理装置の平面図
【符号の説明】
【００４８】
１１  第１の筐体
１４  第１の端子部
１５  第２の端子部
１６  第１の透明部材
１７  第２の透明部材
２１  第２の筐体
【図１】
2010003062.tif 000003
【図２】
2010003062.tif 000004
【図３】
2010003062.tif 000005
【図４Ａ】
2010003062.tif 000006
【図４Ｂ】
2010003062.tif 000007
【図５】
2010003062.tif 000008
【図６】
2010003062.tif 000009
【図７】
2010003062.tif 000010
【図８】
2010003062.tif 000011
【図９Ａ】
2010003062.tif 000012
【図９Ｂ】
2010003062.tif 000013
【図１０Ａ】
2010003062.tif 000014
【図１０Ｂ】
2010003062.tif 000015
【図１１】
2010003062.tif 000016
【図１２】
2010003062.tif 000017
【図１３】
2010003062.tif 000018
【図１４】
2010003062.tif 000019
【図１５】
2010003062.tif 000020
【図１６】
2010003062.tif 000021
【図１７】
2010003062.tif 000022
【図１８】
2010003062.tif 000023
【図１９】
2010003062.tif 000024